(57)【要約】      （修正有）【課題】  大量の生ゴミを微生物によって分解・発酵して減量させるための、ドラムを横にした型の生ゴミ処理機の場合、大量の生ゴミと微生物を攪拌するために、大量の生ゴミと微生物が格納された、非常に重いドラム全体を回転させている。このため、ドラムとドラムを回転させるための動力伝達部分に掛かる負荷が、非常に大きくなり、ドラムと動力伝達部分を頑丈に造る必要がある。【解決手段】  生ゴミと微生物が大量に入った、非常に重いドラ厶を回すのではなく、生ゴミと微生物が入る固定の槽１と、その槽１の周りを回るドラム３を設けて、槽１の下部から、生ゴミと微生物をドラム３の内側へ少しずつ落とすことにより、生ゴミと微生物を槽１の下部から上部へ循環させながら攪拌することによってドラム３とドラム３を回転させるための、動力伝達部分の負荷が軽減し、機械を頑丈に造る必要がなく、より大量の生ゴミ処理機を造ることができる。【選択図】図１
2005081343.tif 000002
【特許請求の範囲】
【請求項１】
大量の生ゴミを微生物によって分解・発酵して減量させるために、生ゴミと微生物が入る固定の槽と、その槽の周りを回るドラムを設けて、槽の下部に穴を開け、生ゴミと微生物をドラムの内側へ少しずつ落とし、落ちた生ゴミと微生物はドラムが回り、槽の真上に運ばれ落下することにより、生ゴミと微生物を、槽の下部から上部へ循環させながら攪拌することを特長とする大量生ゴミ処理機。
【請求項２】
これにより、生ゴミと微生物を攪拌するために、ドラムは少量の生ゴミと微生物を内側に乗せて回せば良く、ドラムとドラムを回転させるための、動力伝達部分に掛かる負荷が軽減されるため、大型化が容易なことを特長とする請求項１記載の大量生ゴミ処理機。
【請求項３】
また、生ゴミを投入する際には、ドラムにある投入口を低い位置で止めて投入が出来るため、ベルトコンベアのような搬送機が不要なことを特長とする請求項１記載の大量生ゴミ処理機。
【請求項４】
さらに、槽の下部にある水分の多い生ゴミと微生物が、ドラムの内側で空気に触れることにより、水分蒸発面積が大きくなり、より除湿し易いことを特長とする請求項１記載の大量生ゴミ処理機。
【請求項５】
さらに、槽が固定しているため、槽の上部に真上から落ちてくる生ゴミと微生物を粉砕するための、例として、網や回転する軸に鋭利な羽根を付けた粉砕棒等の設置が可能である。また、槽の側面に、槽の下部の穴から生ゴミと微生物を落とすための、回転する落とし棒や空調機のホース等が差し込め、付帯設備が設置し易いことを特長とする請求項１記載の大量生ゴミ処理機。
【発明の詳細な説明】
【発明の詳細な説明】
【技術分野】
【０００１】  この発明は、微生物によって生ゴミを分解・発酵して減量させる生ゴミ処理機に関する。
【背景技術】
【０００２】  従来の大量の生ゴミを微生物によって分解・発酵して減量させるためのドラムを横にした型の生ゴミ処理機は、図４に示すように、大量の生ゴミと微生物を攪拌するために、生ゴミと微生物が格納された非常に重いドラム３全体を回転させている。このためドラム３とドラム３を回転させるための動力伝達部分に掛かる負荷が非常に大きくなり、ドラム３と動力伝達部分を頑丈に造る必要がある。
ドラム３を回転させない場合は、図５に示すように、大量の生ゴミと微生物を攪拌するための攪拌軸１４と攪拌羽根１５が大きくなり、攪拌軸１４を回転させるための負荷が大きく、攪拌軸１４、攪拌羽根１５、及び動力伝達部分を頑丈に造る必要がある。
何れにしても、大きな負荷に耐え得るためには機械を頑丈に造らなければならず、材料費も高価になり、より大量の生ゴミを処理するには不向きである。
また、生ゴミを投入する際には、ドラム３に設置された投入口６を上部で止めて投入する必要があり、投入口６が高い位置にあるため、ベルトコンベア１３等の搬送機が必要である。
【発明が解決しようとする課題】
【０００３】  しかしながら、以上の従来技術によれば、大量の生ゴミを微生物によって分解・発酵して減量させるためのドラムを横にした型の生ゴミ処理機の場合、大量の生ゴミと微生物を攪拌するために、大量の生ゴミと微生物が格納された非常に重いドラム全体を回転させている。このためドラムとドラムを回転させるための動力伝達部分に掛かる負荷が非常に大きくなり、ドラ厶と動力伝達部分を頑丈に造る必要がある。
また、ドラムを回転させない場合は、大量の生ゴミと微生物を攪拌するための攪拌軸と攪拌羽根が大きくなり、攪拌軸を回転させるための負荷が大きく、攪拌軸、攪拌羽根、動力伝達部分を頑丈に造る必要がある。
何れにしても、大きな負荷に耐え得るためには、機械を頑丈にしなければならず、材料費も高価になり、より大量の生ゴミを処理するには不向きである。
さらに、生ゴミを投入する際には、ドラムに設置された投入口を上部で止めて投入する必要があり、投入口が高い位置にあるため、ベルトコンベア等の搬送機が必要である。
そこで、この発明は、大量の生ゴミと微生物を攪拌するために、ドラムとドラムを回転させるための、動力伝達部分に掛かる負荷を極力小さくし、材料費も廉価で、より大量の生ゴミが処理できる、大量生ゴミ処理機を提供することを課題とする。
また、生ゴミを投入する際には、ベルトコンベアのような搬送機が不要な、大量生ゴミ処理機を提供することを課題とする。
【課題を解決するための手段】
【０００４】  以上の課題を解決するために、請求項１の発明は、大量の生ゴミを微生物によって分解・発酵して減量させるために、生ゴミと微生物が入る固定の槽と、その槽の周りを回るドラムを設けて、槽の下部に穴を開け、生ゴミと微生物をドラムの内側へ少しずつ落とし、落ちた生ゴミと微生物はドラムが回り、槽の真上に運ばれ落下することにより、生ゴミと微生物を、槽の下部から上部へ循環させながら、攪拌することを特長とする大量生ゴミ処理機である。
また、請求項２の発明は、
生ゴミと微生物を攪拌するために、ドラムは少量の生ゴミと微生物を乗せて回せば良く、ドラムとドラムを回転させるための、動力伝達部分の負荷が軽減されることにより、大型化が容易なことを特長とする大量生ゴミ処理機である。
さらに、請求項３の発明は、
生ゴミを投入する際には、ドラムにある投入口を低い位置で止めて、投入が出来るため、ベルトコンベアのような搬送機が不要なことを特長とする大量生ゴミ処理機である。
さらに、請求項４の発明は、
槽の下部にある水分の多い生ゴミと微生物が、回転するドラムの内側で空気に触れることにより、水分蒸発面積が大きくなり、より除湿し易いことを特長とする大量生ゴミ処理機である。
さらに、請求項５の発明は、
槽が固定しているため、槽の上部に真上から落ちてくる生ゴミと微生物を粉砕するための、例として、網や回転する軸に鋭利な羽根を付けた粉砕棒等の設置が可能である。また、槽の側面に、槽の下部の落とし穴から生ゴミと微生物を落とすための、回転する落とし棒や空調機のホース等が差し込め、付帯設備が設置し易いことを特長とする大量生ゴミ処理機である。
【発明を実施するための最良の形態】
【０００５】この発明の一実施形態を、図１に示す。
図１の槽１の部分の斜視図を、図２に示す。
図１のドラム３の部分の斜視図を、図３に示す。
槽１の前部と後部の下に台２を置き、槽１を床面から十分浮かして設置する。
前後の台２の間にドラム３が槽１を被うように設置し、ローラ４の上に乗せる。
この時、ドラム３の内側にある羽根１２が槽１に当たらないよう、槽１の周囲を一定間隔開けて設置する。
モータ５が稼動すると、ローラ４が回り、さらにドラム３が回る。一方、モータ７が稼動すると、落とし棒８が回転し、微生物と生ごみ９が、槽１下部の落とし穴１０からドラム３の内側に落ちる。ドラム３が回ると、槽１下部の落とし穴１０から落ちた微生物と生ごみ９が、ドラム３の内側の羽根１２に押し上げられ、槽１の上部に移動して落下する。
これらの動きを繰り返すことにより、槽１の微生物と生ごみ９が槽１の下部から上部へ循環しながら攪拌される。
生ゴミの投入は、ドラム３に設けられた、投入口６の扉を開けて行う。
【実施形態の効果】
【０００６】この実施形態によれば、槽１内の生ゴミと微生物９を、少しずつ槽１の下部から上部へ循環させながら攪拌することができる。このため、ドラム３を回転させるための負荷が軽減され、生ゴミ処理機の、より大型化が容易である。
また、生ゴミを投入する際には、ドラム３にある投入口６を低い位置で止め、投入することにより、ベルトコンベア１３のような搬送機が不要である。
さらに、槽１の下部にある水分の多い生ゴミと微生物９が、回転するドラム３の内側で空気に触れることにより、水分蒸発面積が大きくなり、より除湿し易くなる。
さらに、槽１が固定しているため、槽１の上部に真上から落ちてくる生ゴミと微生物９を粉砕するための、例として、網１１や回転する軸に鋭利な羽根を付けた粉砕棒等を設置することにより、生ゴミと微生物９の攪拌と除湿を強力にすることができる。
同様に、槽１の側面に槽１の下部の落とし穴１０から生ゴミと微生物９を落とすための、落とし棒８や空調機のホース等が差し込め、付帯設備が設置し易い。
【発明の効果】
【０００７】  以上説明したように、この発明によれば、大量の生ゴミと微生物を格納した非常に重いドラム全体を回転させることなく、槽内の生ゴミと微生物を、槽の下部から上部へ循環させながら攪拌することができる。
【０００８】また、ドラムを回転させるための負荷が軽減され、生ゴミ処理機のより大型化が容易であり、且つ、生ゴミ処理機の製作費が廉価である。
【０００９】さらに、生ゴミを投入する際には、ドラムにある投入口を低い位置で止め、投入することにより、ベルトコンベアのような搬送機が不要である。
【００１０】さらに、槽の下部にある水分の多い生ゴミと微生物が、ドラムの内側で空気に触れることにより、水分蒸発面積が大きくなり、より除湿し易くなる。
【００１１】さらに、槽が固定しているため、槽の上部に真上から落ちてくる生ゴミと微生物を粉砕するための、例として、網や回転する軸に鋭利な羽根を付けた粉砕棒等を設置することにより、生ゴミと微生物の攪拌と除湿を強力にすることができる。
同様に、槽の側面に槽の下部の穴から生ゴミと微生物を落とすための、落とし棒や空調機のホース等が差し込め、付帯設備が設置し易い。
【図面の簡単な説明】
【図１】この発明の一実施形態を示す斜視図である。
【図２】図１の槽１の部分を示す斜視図である。
【図３】図１のドラム３の部分を示す斜視図である。
【図４】従来技術を示す横ドラム回転型の大型生ゴミ処理機を示す斜視図である。
【図５】従来技術を示す横ドラム無回転型の大型生ゴミ処理機を示す斜視図である。
【符号の説明】
１  槽  ２  台  ３  ドラム  ４  ローラ  ５  ドラム駆動用モータ
６  生ゴミ投入口  ７  落とし棒駆動用モータ  ８  落とし棒
９  生ゴミと微生物  １０  落とし穴  １１  網  １２  羽根  １３  ベルトコンベア
１４  攪拌軸  １５  攪拌羽根
【図１】
2005081343.tif 000003
【図２】
2005081343.tif 000004
【図３】
2005081343.tif 000005
【図４】
2005081343.tif 000006
【図５】
2005081343.tif 000007